(57)【要約】【課題】プレビュー画像用の画像データを無線通信によって送信する場合に要する時間を十分に短縮することが可能な放射線画像撮影装置および放射線画像撮影システムを提供する。【解決手段】放射線画像撮影装置１は、読み出し回路１７により読み出された画像データベクターデータに変換することによって、プレビュー画像用の画像データを作成し、コンソール５８等の外部装置との間で無線通信を行って、作成したプレビュー画像用の画像データを当該外部装置に送信するように構成されている。【選択図】図９
2012170753.tif 000002
【特許請求の範囲】
【請求項１】
互いに交差するように配設された複数の走査線および複数の信号線と、前記複数の走査線および前記複数の信号線により区画された各領域に二次元状に配列された複数の放射線検出素子とを備える検出部と、
前記放射線検出素子から放出された電荷を画像データに変換して読み出す読み出し回路と、
前記読み出し回路により読み出された画像データに基づいて、プレビュー画像用の画像データを作成する作成手段と、
所定の外部装置との間で無線通信を行って、前記作成手段により作成されたプレビュー画像用の画像データを当該外部装置に送信する無線通信手段と、を備え、
前記作成手段は、前記読み出し回路により読み出された画像データをベクターデータに変換することによって、前記プレビュー画像用の画像データを作成することを特徴とする放射線画像撮影装置。
【請求項２】
前記作成手段は、前記読み出し回路により読み出された画像データを、汎用フォーマットのベクターデータに変換することによって、前記プレビュー画像用の画像データを作成することを特徴とする請求項１に記載の放射線画像撮影装置。
【請求項３】
前記汎用フォーマットは、ＳＶＧフォーマットであることを特徴とする請求項２に記載の放射線画像撮影装置。
【請求項４】
請求項１から請求項３の何れか一項に記載の放射線画像撮影装置と、
前記放射線画像撮影装置と無線通信可能な前記外部装置と、を備え、
前記外部装置は、前記無線通信手段により送信されたプレビュー画像用の画像データに基づいてプレビュー画像を表示する表示部を備えることを特徴とする放射線画像撮影システム。
【請求項５】
放射線画像撮影を行う放射線画像撮影装置と、前記放射線画像撮影装置により撮影された放射線画像の画像データに対して所定の画像処理を行うコンソールとを備える放射線画像撮影システムにおいて、
前記放射線画像撮影装置は、
互いに交差するように配設された複数の走査線および複数の信号線と、前記複数の走査線および前記複数の信号線により区画された各領域に二次元状に配列された複数の放射線検出素子とを備える検出部と、
前記放射線検出素子から放出された電荷を画像データに変換して読み出す読み出し回路と、
前記コンソールとの間で有線通信を行って、前記読み出し回路により読み出された画像データを当該コンソールに送信する有線通信手段と、を備え、
前記コンソールは、
前記有線通信手段により送信された画像データに基づいて、プレビュー画像用の画像データを作成する作成手段と、
所定の端末装置との間で無線通信を行って、前記作成手段により作成されたプレビュー画像用の画像データを当該端末装置に送信する無線通信手段と、を備え、
前記作成手段は、前記有線通信手段により送信された画像データをベクターデータに変換することによって、前記プレビュー画像用の画像データを作成することを特徴とする放射線画像撮影システム。
【請求項６】
当該放射線画像撮影システムは、さらに、前記コンソールと無線通信可能な前記端末装置を備え、
前記端末装置は、前記無線通信手段により送信されたプレビュー画像用の画像データに基づいてプレビュー画像を表示する表示部を備えることを特徴とする請求項５に記載の放射線画像撮影システム。
【請求項７】
前記端末装置は、携帯可能に構成されていることを特徴とする請求項６に記載の放射線画像撮影システム。
【請求項８】
前記作成手段は、前記有線通信手段により送信された画像データを、汎用フォーマットのベクターデータに変換することによって、前記プレビュー画像用の画像データを作成することを特徴とする請求項５から請求項７の何れか一項に記載の放射線画像撮影システム。
【請求項９】
前記汎用フォーマットは、ＳＶＧフォーマットであることを特徴とする請求項８に記載の放射線画像撮影システム。
【発明の詳細な説明】
【技術分野】
【０００１】
本発明は、放射線画像撮影装置および放射線画像撮影システムに関する。
【背景技術】
【０００２】
病気診断等を目的として、Ｘ線画像に代表される放射線を用いて撮影された放射線画像が広く用いられている。こうした医療用の放射線画像は、従来からスクリーンフィルムを用いて撮影されていたが、放射線画像のデジタル化を図るために輝尽性蛍光体シートを用いたＣＲ（Computed Radiography）装置が開発されている。また、最近では、照射された放射線を、二次元状に配置された放射線検出素子で検出して、デジタル画像データとして取得する放射線画像撮影装置が開発されている。
【０００３】
このような放射線画像撮影装置としては、照射されたＸ線等の放射線の線量に応じて検出素子で電荷を発生させて電気信号（すなわち画像データ）に変換するいわゆる直接型の放射線画像撮影装置や、照射された放射線をシンチレータ等で可視光等の他の波長の電磁波に変換した後、変換された電磁波のエネルギーに応じてフォトダイオード等の光電変換素子で電荷を発生させて電気信号（すなわち画像データ）に変換するいわゆる間接型の放射線画像撮影装置が種々開発されている。なお、本発明では、直接型の放射線画像撮影装置における検出素子や、間接型の放射線画像撮影装置における光電変換素子を、あわせて放射線検出素子という。
【０００４】
このタイプの放射線画像撮影装置はＦＰＤ（Flat Panel Detector）として知られている。従来は支持台（或いはブッキー装置）と一体的に形成された、いわゆる専用機型として構成されていたが（例えば特許文献１参照）、近年、放射線検出素子等を筐体内に収納して持ち運びできるようにした可搬型の放射線画像撮影装置が開発され、実用化されている（例えば特許文献２、３参照）。
【０００５】
このような放射線画像撮影装置において、各放射線検出素子から読み出された各画像データは、放射線画像撮影装置から外部装置に送信される。その後、撮影が正常に行われたか否か、すなわち画像中に被写体が撮影されているか否かや画像中での被写体の撮影位置が適切であるか否かなどを放射線技師等が見て確認するために、通常、外部装置の表示部に画像データに基づくプレビュー画像が表示される。
そして、放射線技師等は、外部装置の表示部に表示されたプレビュー画像を見て、撮影が正常に行われたか否かを判断し、再撮影の要否等を判断する。
【０００６】
この場合、プレビュー画像の表示が遅いと、その間、被写体である患者を待たせなければならず、患者の負担が増大する。このような問題は、画像データを無線通信によって送信する場合には、有線通信によって送信する場合よりも送信に時間がかかるので、顕著になってしまう。そのため、画像データを無線通信によって送信する場合であっても、プレビュー画像を外部装置の表示部にできるだけ速やかに表示することが求められている。
【０００７】
そこで、特許文献４等に開示されているように、画像データに間引き処理や圧縮処理を施してから外部装置に無線通信によって送信すれば、送信する画像データのデータ量が削減されるため、画像データの送信時間が短縮され、プレビュー画像の表示に要する時間を短縮することが可能となる。
【先行技術文献】
【特許文献】
【０００８】
【特許文献１】特開平９−７３１４４号公報
【特許文献２】特開２００６−０５８１２４号公報
【特許文献３】特開平６−３４２０９９号公報
【特許文献４】特開２００９−４５４３０号公報
【発明の概要】
【発明が解決しようとする課題】
【０００９】
しかしながら、画像データに間引き処理や圧縮処理を施したとしても、データ量は１／１０程度にしか削減できない。そのため、プレビュー画像の表示に要する時間を十分に短縮することできず、患者の負担を軽減することはできない。
【００１０】
本発明は、上記の問題点を鑑みてなされたものであり、プレビュー画像用の画像データを無線通信によって送信する場合に要する時間を十分に短縮することが可能な放射線画像撮影装置および放射線画像撮影システムを提供することを目的とする。
【課題を解決するための手段】
【００１１】
前記の問題を解決するために、本発明の放射線画像撮影装置は、
互いに交差するように配設された複数の走査線および複数の信号線と、前記複数の走査線および前記複数の信号線により区画された各領域に二次元状に配列された複数の放射線検出素子とを備える検出部と、
前記放射線検出素子から放出された電荷を画像データに変換して読み出す読み出し回路と、
前記読み出し回路により読み出された画像データに基づいて、プレビュー画像用の画像データを作成する作成手段と、
所定の外部装置との間で無線通信を行って、前記作成手段により作成されたプレビュー画像用の画像データを当該外部装置に送信する無線通信手段と、を備え、
前記作成手段は、前記読み出し回路により読み出された画像データをベクターデータに変換することによって、前記プレビュー画像用の画像データを作成することを特徴とする。
【００１２】
また、本発明の放射線画像撮影システムは、
本発明の放射線画像撮影装置と、
前記放射線画像撮影装置と無線通信可能な前記外部装置と、を備え、
前記外部装置は、前記無線通信手段により送信されたプレビュー画像用の画像データに基づいてプレビュー画像を表示する表示部を備えることを特徴とする。
【００１３】
また、本発明の放射線画像撮影システムは、
放射線画像撮影を行う放射線画像撮影装置と、前記放射線画像撮影装置により撮影された放射線画像の画像データに対して所定の画像処理を行うコンソールとを備える放射線画像撮影システムにおいて、
前記放射線画像撮影装置は、
互いに交差するように配設された複数の走査線および複数の信号線と、前記複数の走査線および前記複数の信号線により区画された各領域に二次元状に配列された複数の放射線検出素子とを備える検出部と、
前記放射線検出素子から放出された電荷を画像データに変換して読み出す読み出し回路と、
前記コンソールとの間で有線通信を行って、前記読み出し回路により読み出された画像データを当該コンソールに送信する有線通信手段と、を備え、
前記コンソールは、
前記有線通信手段により送信された画像データに基づいて、プレビュー画像用の画像データを作成する作成手段と、
所定の端末装置との間で無線通信を行って、前記作成手段により作成されたプレビュー画像用の画像データを当該端末装置に送信する無線通信手段と、を備え、
前記作成手段は、前記有線通信手段により送信された画像データをベクターデータに変換することによって、前記プレビュー画像用の画像データを作成することを特徴とする。
【発明の効果】
【００１４】
本発明のような方式によれば、プレビュー画像用の画像データを作成する際、画像データをベクターデータに変換するので、データ量を削減することが可能となる。したがって、プレビュー画像用の画像データとしてベクターデータに変換しないままの画像データを送信する場合と比較して、プレビュー画像用の画像データを無線送信する際に要する無線送信時間を短縮することが可能となる。
そのため、プレビュー画像の表示に要する時間を十分に短縮することでき、プレビュー画像が迅速に表示されるので、患者の負担を軽減することが可能となる。
【図面の簡単な説明】
【００１５】
【図１】放射線画像撮影装置の外観を示す斜視図である。
【図２】図１におけるＸ−Ｘ線に沿う断面図である。
【図３】放射線画像撮影装置のコネクタにケーブルのコネクタを接続した状態を表す斜視図である。
【図４】放射線画像撮影装置の基板の構成を示す平面図である。
【図５】図４の基板上の小領域に形成された放射線検出素子とＴＦＴ等の構成を示す拡大図である。
【図６】フレキシブル回路基板やＰＣＢ基板などが取り付けられた基板を説明する側面図である。
【図７】放射線画像撮影装置の等価回路を表すブロック図である。
【図８】撮影室等に構築された放射線画像撮影システムの構成を示す図である。
【図９】プレビュー画像の表示に関する処理について説明するためのフローチャートである。
【図１０】回診車上に構築された放射線画像撮影システムの構成を示す図である。
【図１１】（ａ）は、Rawデータ（ラスターデータ）に基づく放射線画像を示す図、（ｂ）は、図１１（ａ）の拡大図である。
【図１２】（ａ）は、ベクターデータに基づく放射線画像を示す図、（ｂ）は、図１２（ａ）の拡大図である。
【図１３】第２実施形態における放射線画像撮影システムであって、撮影室等に構築された放射線画像撮影システムの構成を示す図である。
【図１４】第２実施形態におけるプレビュー画像の表示に関する処理について説明するためのフローチャートである。
【図１５】第２実施形態における放射線画像撮影システムであって、回診車上に構築された放射線画像撮影システムの構成を示す図である。
【発明を実施するための形態】
【００１６】
以下、図面を参照して、本発明の好適な実施形態について説明する。ただし、本発明を適用可能な実施形態はこれに限定されるものではなく、また、本発明は図示例に限定されるものでもない。
【００１７】
なお、以下では、放射線画像撮影装置として、シンチレータ等を備え、放射された放射線を可視光等の他の波長の電磁波に変換して電気信号を得る、いわゆる間接型の放射線画像撮影装置について説明するが、本発明は、シンチレータ等を介さずに放射線を放射線検出素子で直接検出する、いわゆる直接型の放射線画像撮影装置に対しても適用することができる。
また、放射線画像撮影装置が可搬型の放射線画像撮影装置である場合について説明するが、本発明は、支持台等と一体的に形成された固定型の放射線画像撮影装置に対しても適用することができる。
【００１８】
＜第１実施形態＞
［放射線画像撮影装置］
まず、第１実施形態に係る放射線画像撮影装置について説明する。
図１は、本実施形態に係る放射線画像撮影装置の外観を示す斜視図である。
また、図２は、図１のＸ−Ｘ線に沿う断面図である。
本実施形態に係る放射線画像撮影装置１は、いわゆるフラットパネルディテクタ（以下「ＦＰＤ」という。）を可搬型に構成したカセッテ型ＦＰＤであり、放射線画像撮影に用いられ、放射線を検出して当該放射線の線量に応じた画像データを生成して取得するものである。
【００１９】
放射線画像撮影装置１は、図１や図２に示すように、筐体２内にシンチレータ３や基板４などで構成されるセンサパネルＳＰが収納されて構成されている。
【００２０】
本実施形態において、筐体２のうち、放射線入射面Ｒを有する中空の角筒状のハウジング本体部２Ａは、放射線を透過するカーボン板やプラスチックなどの材料で形成されており、ハウジング本体部２Ａの両側の開口部を蓋部材２Ｂ、２Ｃで閉塞することで筐体２が形成されている。なお、筐体２をこのようないわゆるモノコック型として形成する代わりに、例えば、フロント板とバック板とで形成された、いわゆる弁当箱型とすることも可能である。
【００２１】
また、筐体２の一方側の蓋部材２Ｂには、電源スイッチ３７や切替スイッチ３８、コネクタ３９、インジケータ４０などが配置されている。
ここで、インジケータ４０は、バッテリ状態や放射線画像撮影装置１の稼働状態などを表示するＬＥＤ等で構成されている。
【００２２】
本実施形態において、コネクタ３９には、例えば図３に示すように、ケーブルＣａの先端に設けられたコネクタＣが接続される。これにより、放射線画像撮影装置１は、例えば後述する中継器５４とケーブルＣａにより有線接続して、中継器５４と接続する外部装置との間で信号や画像データなどの送受信を行う。すなわち、コネクタ３９は、有線通信手段として機能する。
なお、コネクタ３９の設置位置は蓋部材２Ｂに限定されず、放射線画像撮影装置１の適宜の位置に設置することが可能である。
【００２３】
また、図示を省略するが、筐体２の他方側の蓋部材２Ｃには、アンテナ装置４１（後述する図７参照）が、例えば蓋部材２Ｃに埋め込まれる等して設けられている。これにより、本実施形態において、放射線画像撮影装置１は、例えば後述するアクセスポイント５３とアンテナ装置４１により無線接続し、アクセスポイント５３に接続された中継器５４を介して、中継器５４と接続する外部装置との間で信号や画像データなどの送受信を行う。すなわち、アンテナ装置４１は、無線通信手段として機能する。
なお、アンテナ装置４１の設置位置は蓋部材２Ｃに限定されず、放射線画像撮影装置１の適宜の位置に設置することが可能である。また、設置するアンテナ装置４１は１個に限らず、複数設けることも可能である。
【００２４】
図２に示すように、筐体２の内部には、基板４の下方側に図示しない鉛の薄板等を介して基台３１が配置されている。この基台３１には、電子部品３２等が配設されたＰＣＢ基板３３やバッテリ２４などが取り付けられている。
また、基板４やシンチレータ３の放射線入射面Ｒ側の面には、それらを保護するためのガラス基板３４が配設されている。
また、本実施形態においては、センサパネルＳＰと筐体２の側面との間に、それらがぶつかり合うことを防止するための緩衝材３５が設けられている。
【００２５】
シンチレータ３は、基板４の検出部Ｐ（後述）に対向する位置に設けられている。本実施形態において、シンチレータ３は、例えば、蛍光体を主成分とし、放射線の入射を受けると３００〜８００ｎｍの波長の電磁波、すなわち可視光を中心とした電磁波に変換して出力するものが用いられる。
【００２６】
本実施形態において、基板４は、ガラス基板で構成されている。この基板４のシンチレータ３に対向する側の面４ａ上には、図４に示すように、複数の走査線５と複数の信号線６とが互いに交差するように配設されている。そして、基板４の面４ａ上の複数の走査線５と複数の信号線６とにより区画された各小領域ｒには、放射線検出素子７がそれぞれ設けられている。
このように、走査線５と信号線６とで区画された各小領域ｒに二次元状に配列された複数の放射線検出素子７が設けられた領域全体、すなわち図４に一点鎖線で示される領域が検出部Ｐとされている。
【００２７】
本実施形態においては、放射線検出素子７としてフォトダイオードが用いられているが、この他にも例えばフォトトランジスタ等を用いることも可能である。
各放射線検出素子７は、図４の拡大図である図５に示すように、スイッチ手段である薄膜トランジスタ（Thin Film Transistor。以下「ＴＦＴ」という。）８のソース電極８ｓに接続されている。また、ＴＦＴ８のドレイン電極８ｄは信号線６に接続されている。
【００２８】
放射線検出素子７は、放射線画像撮影装置１の筐体２の放射線入射面Ｒから放射線が入射し、シンチレータ３で放射線から変換された可視光等の電磁波が照射されると、その内部で電子正孔対を発生させる。放射線検出素子７は、このようにして、照射された放射線（本実施形態ではシンチレータ３で放射線から変換された電磁波）を電荷に変換するようになっている。
【００２９】
そして、ＴＦＴ８は、走査駆動手段１５（後述）から、接続された走査線５を介してゲート電極８ｇにオン電圧が印加されるとオン状態となり、ソース電極８ｓやドレイン電極８ｄを介して放射線検出素子７内に蓄積されている電荷を信号線６に放出させるように構成されている。
また、ＴＦＴ８は、走査駆動手段１５（後述）から、接続された走査線５を介してゲート電極８ｇにオフ電圧が印加されるとオフ状態となり、放射線検出素子７から信号線６への電荷の放出を停止して、放射線検出素子７内に電荷を蓄積させるように構成されている。
【００３０】
本実施形態においては、図４や図５に示すように、それぞれ列状に配置された複数の放射線検出素子７に１本のバイアス線９が接続されており、各バイアス線９はそれぞれ信号線６に平行に配設されている。また、図４に示すように、各バイアス線９は、基板４の検出部Ｐの外側の位置で結線１０に結束されている。
【００３１】
また、本実施形態において、各走査線５や各信号線６、バイアス線９の結線１０は、図４に示すように、それぞれ基板４の端縁部付近に設けられた入出力端子（「パッド」ともいう。）１１に接続されている。各入出力端子１１には、図６に示すように、走査駆動手段１５のゲートドライバ１５ｂ（後述）を構成するゲートＩＣ１５ｃ等のチップがフィルム上に組み込まれたフレキシブル回路基板（「Chip On Film」等ともいう。）１２が異方性導電接着フィルム（Anisotropic Conductive Film）や異方性導電ペースト（Anisotropic Conductive Paste）などの異方性導電性接着材料１３を介して接続されている。
【００３２】
そして、フレキシブル回路基板１２は、基板４の裏面４ｂ側に引き回され、裏面４ｂ側でＰＣＢ基板３３に接続されている。このようにして、放射線画像撮影装置１のセンサパネルＳＰが形成されている。なお、図６では、電子部品３２等の図示が省略されている。
【００３３】
ここで、放射線画像撮影装置１の回路構成について説明する。
図７は、本実施形態に係る放射線画像撮影装置１の等価回路を表すブロック図である。
【００３４】
基板４の検出部Ｐの各放射線検出素子７は、その第２電極７ｂにそれぞれバイアス線９が接続されており、各バイアス線９は結線１０に結束されてバイアス電源１４に接続されている。バイアス電源１４は、結線１０および各バイアス線９を介して各放射線検出素子７の第２電極７ｂにそれぞれバイアス電圧を印加するように構成されている。
また、バイアス電源１４は、制御手段２２（後述）に接続されており、制御手段２２によって、バイアス電源１４から各放射線検出素子７に印加するバイアス電圧が制御されるように構成されている。
【００３５】
図７に示すように、本実施形態においては、バイアス電源１４から、放射線検出素子７の第２電極７ｂにバイアス線９を介してバイアス電圧として放射線検出素子７の第１電極７ａ側にかかる電圧以下の電圧（すなわちいわゆる逆バイアス電圧）が印加されるように構成されている。
【００３６】
走査駆動手段１５は、配線１５ｄを介してゲートドライバ１５ｂにオン電圧とオフ電圧を供給する電源回路１５ａと、走査線５の各ラインＬ１〜Ｌｘに印加する電圧をオン電圧とオフ電圧との間で切り替えて各ＴＦＴ８のオン状態とオフ状態とを切り替えるゲートドライバ１５ｂとを備えている。本実施形態において、ゲートドライバ１５ｂは、複数のゲートＩＣ１５ｃ（図６参照）が並設されて構成されている。
【００３７】
図７に示すように、各信号線６は、読み出しＩＣ１６内に内蔵された各読み出し回路１７にそれぞれ接続されている。
読み出しＩＣ１６内には、主に、増幅回路１８や相関二重サンプリング回路１９などで構成される読み出し回路１７と、アナログマルチプレクサ２１と、Ａ／Ｄ変換器２０とが設けられている。なお、図７中では、相関二重サンプリング回路１９はＣＤＳと表記されている。
【００３８】
例えば、放射線画像撮影で被写体を介して放射線画像撮影装置１に放射線が照射され、シンチレータ３で放射線が他の波長の電磁波に変換されて、その直下の放射線検出素子７に照射される。そして、放射線検出素子７で照射された放射線の線量（電磁波の光量）に応じて電荷が発生する。
【００３９】
各放射線検出素子７からの画像データの読み出し処理の際には、走査駆動手段１５のゲートドライバ１５ｂから走査線５の各ラインＬ１〜Ｌｘを介してゲート電極８ｇにオン電圧が印加されたＴＦＴ８がオン状態となり、オン状態とされた各ＴＦＴ８を介して各放射線検出素子７から信号線６に電荷が放出される。
【００４０】
そして、放射線検出素子７から放出された電荷量に応じて読み出し回路１７の増幅回路１８から電圧値が出力され、それを読み出し回路１７の相関二重サンプリング回路１９で相関二重サンプリングしてアナログ値の画像データがアナログマルチプレクサ２１に出力される。
【００４１】
そして、相関二重サンプリング回路１９から出力された各放射線検出素子７の画像データは、アナログマルチプレクサ２１を介して順次Ａ／Ｄ変換器２０に送信され、Ａ／Ｄ変換器２０で順次デジタル値の画像データ（すなわちいわゆるRawデータ）に変換され、記憶手段２３に出力されて順次保存される。
すなわち、読み出し回路１７は、放射線検出素子７から電荷を読み出し、放射線検出素子７ごとに当該電荷を電気信号に変換し画像データとして出力するように構成されている。
【００４２】
制御手段２２は、放射線画像撮影装置１の各機能部の動作等を制御する。
具体的には、制御手段２２は、ＣＰＵ（Central Processing Unit）やＲＯＭ（Read Only Memory）、ＲＡＭ（Random Access Memory）、入出力インターフェースなどがバスに接続されたコンピュータ、ＦＰＧＡ（Field Programmable Gate Array）等により構成されている。なお、制御手段２２は、専用の制御回路で構成されていてもよい。
また、図７等に示すように、制御手段２２には、ＳＲＡＭ（Static ＲＡＭ）やＳＤＲＡＭ（Synchronous ＤＲＡＭ）などで構成される記憶手段２３が接続されている。
【００４３】
また、本実施形態において、制御手段２２には、アンテナ装置４１が接続されている。
さらに、本実施形態において、制御手段２２には、検出部Ｐや走査駆動手段１５、読み出し回路１７、記憶手段２３、バイアス電源１４などの各機能部に電力を供給するためのバッテリ２４が接続されている。そして、このバッテリ２４には、図示しない充電装置からバッテリ２４に電力を供給してバッテリ２４を充電する際の接続端子２５が取り付けられている。
【００４４】
前述したように、制御手段２２は、バイアス電源１４を制御してバイアス電源１４から各放射線検出素子７に印加するバイアス電圧を設定したり可変させたりするなど、放射線画像撮影装置１の各機能部の動作を制御するように構成されている。
【００４５】
＜プレビュー画像用の画像データの作成＞
以下、作成手段として機能する制御手段２２によるプレビュー画像用の画像データの作成について説明する。ここで、プレビュー画像とは、放射線技師等が、表示されたプレビュー画像を見て、画像中に被写体が撮影されているか否かや画像中での被写体の撮影位置が適切であるか否かなどを確認して、再撮影の要否等を判断するための画像である。
【００４６】
本実施形態において、制御手段２２は、読み出し回路１７により放射線検出素子７から読み出された画像データに基づいて、プレビュー画像用の画像データを作成する。
具体的には、放射線検出素子７から読み出された画像データ（Rawデータ）はラスターデータであり、制御手段２２は、このラスターデータをベクターデータに変換することによって、プレビュー画像用の画像データを作成する。
【００４７】
なお、本実施形態では、放射線検出素子７から読み出された画像データをＳＶＧ（Scalable Vector Graphics）フォーマットのベクターデータに変換することとして説明するが、これに限定されるものではない。すなわち、制御手段２２により作成されるベクターデータの画像フォーマットは、汎用的な画像フォーマットであれば任意であり、ＳＶＧ形式の他に、Photoshop（商標登録）のＰＳＤ形式等であってもよい。
【００４８】
＜診断画像用の画像データの作成＞
次に、制御手段２２による診断画像用の画像データの作成について説明する。ここで、診断画像とは、医師等が、表示されたり印刷されたりした診断画像を見て、病気等を診断するための画像である。
【００４９】
本実施形態において、制御手段２２は、読み出し回路１７により放射線検出素子７から読み出された画像データに基づいて、診断画像用の画像データを作成する。
具体的には、制御手段２２は、放射線検出素子７から読み出された画像データ（Rawデータ）に対して圧縮処理を行うことによって、診断画像用の画像データを作成する。
【００５０】
ここで、診断画像用の画像データに基づく画像は、医療用の診断画像として用いられる。そのため、診断画像用の画像データを圧縮するデータ圧縮方法としては、圧縮により画像データが有する情報の一部が失われてしまう非可逆圧縮の方法よりも、圧縮前の画像データと復元（伸長）後の画像データとが完全に一致するように圧縮を行う可逆圧縮の方法が好ましい。
【００５１】
［放射線画像撮影システム］
次に、第１実施形態に係る放射線画像撮影システムについて説明する。
図８は、本実施形態に係る放射線画像撮影システムの構成を示す図である。
なお、本実施形態では、放射線画像撮影システム５０として、病院や医院内で行われる放射線画像撮影を想定したシステム、すなわち放射線画像として医療用の診断画像を撮影するシステムを例示して説明するが、放射線画像撮影システム５０は、必ずしもこれに限定されるものではない。
【００５２】
本実施形態において、放射線画像撮影システム５０は、図８に示すように、放射線を照射して患者の一部である被写体（患者の撮影対象部位）の撮影を行う撮影室Ｒ１と、放射線技師等の操作者が被写体に照射する放射線の制御等の種々の操作を行う前室（「操作室」等ともいう。）Ｒ２とに配置されている。
【００５３】
撮影室Ｒ１には、例えば、放射線画像撮影装置１を装填可能なブッキー装置５１と、被写体に照射する放射線を発生させるＸ線管球を備えた放射線源５２を有する放射線発生装置５５と、撮影室Ｒ１内の各装置等と撮影室Ｒ１外の各装置等とが通信する際にこれらの通信を中継する中継器５４とが設けられている。そして、本実施形態において、中継器５４には、放射線画像撮影装置１が無線方式で信号や画像データなどの送受信を行うことができるように、アクセスポイント５３が接続されている。
【００５４】
なお、図８では、可搬型の放射線画像撮影装置１をブッキー装置５１のカセッテ保持部（「カセッテホルダ」ともいう。）５１ａに装填した状態で用いる場合と、ブッキー装置５１に装填されない単独の状態で用いる場合、具体的には臥位撮影用のブッキー装置５１Ｂの上面側に配置してその放射線入射面Ｒ上に被写体である患者の手等を載置して用いる場合とが示されているが、前述したように、放射線画像撮影装置１はブッキー装置５１や支持台などと一体的に形成されたものであってもよい。
ここで、可搬型の放射線画像撮影装置１をブッキー装置５１に装填されない単独の状態で用いる場合、臥位撮影用のブッキー装置５１Ｂの上面側に配置してその放射線入射面Ｒ上に被写体である患者の手等を載置して用いる他に、例えば撮影室Ｒ１内に設けられたベッド等の上面側に配置してその放射線入射面Ｒ上に被写体である患者の手等を載置したり、或いは、例えばベッドの上に横臥した患者の腰や足などとベッドとの間に差し込んだりして用いることも可能である。
【００５５】
また、図８では、ブッキー装置５１と中継器５４とをケーブルにより有線接続し、ブッキー装置５１に装填されている放射線画像撮影装置１と、中継器５４と接続する外部装置との間の通信を、中継器５４を介して有線方式で行うことができるように構成した場合が示されているが、これに限定されるものではない。すなわち、ブッキー装置５１と中継器５４とは有線接続されていなくてもよい。
【００５６】
なお、ブッキー装置５１と中継器５４とが有線接続されている場合、当該ブッキー装置５１に放射線画像撮影装置１を装填する際に、ブッキー装置５１から延設されたケーブルＣａの先端に設けられたコネクタＣをコネクタ３９に接続した状態で装填すれば、ブッキー装置５１に装填されている放射線画像撮影装置１と、中継器５４と接続する外部装置との間の通信は、中継器５４を介して有線方式で行うことができる。
一方、ブッキー装置５１と中継器５４とが有線接続されていても、当該ブッキー装置５１に放射線画像撮影装置１を装填する際に、ブッキー装置５１から延設されたケーブルＣａの先端に設けられたコネクタＣをコネクタ３９に接続しない状態で装填すれば、ブッキー装置５１に装填されている放射線画像撮影装置１と、中継器５４と接続する外部装置との間の通信は、有線方式では行われず、アクセスポイント５３および中継器５４を介して無線方式で行われる。
【００５７】
また、図８では、放射線画像撮影装置１とアクセスポイント５３とを無線接続し、当該放射線画像撮影装置１と、中継器５４と接続する外部装置との間の通信を、アクセスポイント５３および中継器５４を介して無線方式で行うことができるように構成した場合が示されているが、これに限定されるものではない。すなわち、放射線画像撮影装置１と中継器５４とをケーブルＣａにより有線接続し、当該放射線画像撮影装置１と、中継器５４と接続する外部装置との間の通信を、中継器５４を介して有線方式で行うことができるように構成することも可能である。
【００５８】
また、図８では、撮影室Ｒ１内に、ブッキー装置５１として、立位撮影用のブッキー装置５１Ａと臥位撮影用のブッキー装置５１Ｂとが１個ずつ設けられている場合が示されているが、撮影室Ｒ１内に設けられるブッキー装置５１の個数や種類は特に限定されない。
また、図８では、撮影室Ｒ１に、位置を移動させたり放射線の照射方向を変えたりすることで、立位撮影用のブッキー装置５１Ａと臥位撮影用のブッキー装置５１Ｂとのいずれにも放射線を照射することができる放射線源５２が据え付けられているが、これに限定されるものではない。すなわち、撮影室Ｒ１内には、ポータブルの放射線源５２Ｐ（後述）等を設けることも可能であり、撮影室Ｒ１内に設けられる放射線源５２の個数や種類は特に限定されない。
【００５９】
本実施形態において、撮影室Ｒ１に隣接する前室Ｒ２には、放射線発生装置５５の操作卓５７が設けられている。そして、この操作卓５７には、放射線技師等の操作者が放射線発生装置５５に対して放射線の照射開始等を指示する際に操作するための曝射スイッチ５６が設けられている。
【００６０】
また、放射線発生装置５５は、放射線技師等の操作者が操作卓５７を操作して或いは手動で、放射線源５２から放射線画像撮影装置１に対して放射線が適切に照射されるように放射線照射方向を調整したり、放射線源５２から放射線画像撮影装置１の所定の領域内に放射線が照射されるように絞りを調整したり、適切な線量の適切な線質の放射線が照射されるように放射線源５２を調整したりすることができるように構成されている。
【００６１】
［コンソール］
コンソール５８は、図８に示すように、ＣＲＴ（Cathode Ray Tube）やＬＣＤ（Liquid Crystal Display）などからなる表示部５８ａと、コンソール５８の各機能部の動作等を制御する制御部５８ｂと、ＨＤＤ（Hard Disk Drive）等からなる記憶手段５９と、ＬＡＮケーブル等によって中継器５４と接続され放射線画像撮影装置１等の他の装置との間で通信を行うための通信部（図示省略）と、キーボードやマウスなどからなる入力部（図示省略）とを備えて構成されるコンピュータである。
【００６２】
なお、図８では、コンソール５８が前室Ｒ２に設けられている場合が示されているが、コンソール５８は、例えば撮影室Ｒ１および前室Ｒ２の外側に設けられていてもよい。
また、図８では、コンソール５８に記憶手段５９が接続されている場合が示されているが、記憶手段５９はコンソール５８に内蔵されていてもよい。
【００６３】
コンソール５８の制御部５８ｂは、ＣＰＵ、ＲＯＭ、ＲＡＭ等を備えて構成されている。ＲＯＭには所定のプログラムが格納されており、ＣＰＵは、必要なプログラムを読み出してＲＡＭの作業領域に展開してプログラムに従って各種処理を実行して、コンソール５８の各機能部の動作等を制御するように構成されている。
【００６４】
制御部５８ｂは、放射線画像撮影装置１からプレビュー画像用の画像データが送信されてくると、それに基づいて表示部５８ａにプレビュー画像を表示するように構成されている。
具体的には、制御部５８ｂは、放射線画像撮影装置１から送信されたプレビュー画像用の画像データに、所定の表示処理を行うことによって、当該画像データに基づくプレビュー画像を表示部５８ａに表示する。
【００６５】
そして、放射線技師等は、表示されたプレビュー画像を見て、画像中に被写体が撮影されているか否かや画像中での被写体の撮影位置が適切であるか否かなどを確認して、再撮影の要否等を判断するようになっている。
【００６６】
また、制御部５８ｂは、放射線技師等により再撮影の必要がないと判断された場合には、放射線画像撮影装置１から送信された診断画像用の画像データに基づいて、放射線画像として医療用の診断画像を生成するように構成されている。
具体的には、制御部５８ｂは、放射線画像撮影装置１から送信された診断画像用の画像データに、オフセット補正処理やゲイン補正処理、欠陥画素補正処理などの所定の画像処理を行うことによって、医療用の診断画像を生成する。
【００６７】
次に、本実施形態に係る放射線画像撮影装置１および放射線画像撮影システム５０の作用について、図９のフローチャートを参照して説明する。
なお、本実施形態において、放射線画像撮影装置１は、中継器５４と接続するコンソール５８との間の通信を、アクセスポイント５３および中継器５４を介して無線方式で行うこととする。
【００６８】
図９に示すように、例えば放射線源５２から放射線画像撮影装置１に対して放射線が照射されると、放射線画像撮影装置１の制御手段２２は、まず、当該放射線画像撮影装置１の各機能部を制御して、読み出し回路１７により放射線検出素子７から画像データを読み出す（ステップＳ１０１）。
次いで、読み出した画像データ（Rawデータ）をＳＶＧフォーマットのベクターデータに変換することによって、その読み出した画像データに基づきプレビュー画像用の画像データを作成する（ステップＳ１０２）。
次いで、アクセスポイント５３および中継器５４を介してコンソール５８との間で無線通信を行って、作成したプレビュー画像用の画像データを当該コンソール５８に送信する（ステップＳ１０３）。
【００６９】
そして、コンソール５８の制御部５８ｂは、放射線画像撮影装置１から無線送信されたプレビュー画像用の画像データを受信すると、当該プレビュー画像用の画像データに対して所定の表示処理を行って（ステップＳ１０４）、当該画像データに基づく画像、すなわちプレビュー画像を表示部５８ａに表示する（ステップＳ１０５）。このようにして、プレビュー画像がコンソール５８の表示部５８ａに表示される。
【００７０】
ここで、放射線検出素子７から読み出された画像データ（Rawデータ）はラスターデータであり、制御手段２２は、このラスターデータをベクターデータに変換することによって、プレビュー画像用の画像データを作成する。
ここで、ラスターデータは、画像を点の集合で表現するデータであり、各点の座標や各点の属性（色等）などに関する情報を有している。
一方、ベクターデータは、画像を点で結ばれた線で表現するデータであり、点の座標や線の属性（線の太さや色など）、線で囲まれた面の属性（色やパターンなど）などに関する情報を有している。
【００７１】
すなわち、ラスターデータは、画像を構成する各点（各画素）の情報を有するデータであり、ベクターデータは、画像を構成する線や面の情報を有するデータである。したがって、ラスターデータと比較して、ベクターデータは情報量が少ない。そのため、ラスターデータをベクターデータに変換することによって、データ量を削減することが可能となる。
したがって、本実施形態のように、プレビュー画像用の画像データとしてベクターデータを送信するように構成することで、プレビュー画像用の画像データとしてラスターデータを送信する場合と比較して、プレビュー画像用の画像データの無線送信に要する無線送信時間を短縮することが可能となる。
【００７２】
従来は、プレビュー画像用の画像データの無線送信時間が短縮されるようデータ量を削減するために、Rawデータを間引いたり圧縮したりしていた。
しかしながら、ラスターデータであるRawデータを間引いたり圧縮したりしたとしても、データ量は１／１０程度にしかならない。具体的には、例えば、９ＭByteのRawデータに間引き処理および圧縮処理を施した場合、これら処理後の画像データのデータ量は１ＭByte程度にしかならない。そのため、この場合、プレビュー画像用の画像データ（間引き処理および圧縮処理が施されたラスターデータ）の無線送信に５００ｍ秒程度を要していた。
【００７３】
これに対し、本実施形態のように、ラスターデータであるRawデータをベクターデータに変換することで、データ量を１／１００程度にすることが可能となる。具体的には、例えば、９ＭByteのRawデータをベクターデータに変換した場合、変換後の画像データ（ベクターデータ）のデータ量は１００ＫByte程度になる。そのため、この場合、５０ｍ秒程度で、プレビュー画像用の画像データ（ベクターデータ）を無線送信することが可能となる。
このように、放射線検出素子７から読み出された画像データはラスターデータであるが、そのラスターデータをベクターデータに変換したものをプレビュー画像用の画像データとすることで、プレビュー画像用の画像データとしてラスターデータを送信する場合（従来の場合）と比較して、プレビュー画像用の画像データの無線送信に要する無線送信時間を短縮することが可能となる。したがって、プレビュー画像の表示に要する時間を十分に短縮することでき、プレビュー画像が迅速に表示されるので、患者の負担を軽減することが可能となる。
【００７４】
なお、本実施形態では、ベクターデータを圧縮せずにそのままプレビュー画像用の画像データとしてコンソール５８に無線送信するように構成したが、これに限定されるものではなく、ベクターデータの圧縮の有無は適宜選択可能である。
すなわち、ベクターデータを圧縮する場合、無線送信時間は短縮されるが、圧縮処理および伸長処理に時間を要してしまう。したがって、例えば、無線送信時間の短縮分と、圧縮処理および伸長処理に要する時間との兼ね合いで、ベクターデータの圧縮の有無を選択することが可能である。
【００７５】
具体的には、圧縮しない場合、ベクターデータへの変換処理（ステップＳ１０２）直後から表示処理（ステップＳ１０４）直前までの間に行われる処理は、主に、プレビュー画像用の画像データ（この場合、圧縮されていないベクターデータ）を放射線画像撮影装置１からコンソール５８へと無線送信する処理である。すなわち、ベクターデータへの変換処理（ステップＳ１０２）直後から表示処理（ステップＳ１０４）直前までの間に、主に、無線送信時間の分だけの時間を要する。
【００７６】
一方、圧縮する場合、ベクターデータへの変換処理（ステップＳ１０２）直後から表示処理（ステップＳ１０４）直前までの間に行われる処理は、主に、ベクターデータを圧縮する処理と、プレビュー画像用の画像データを放射線画像撮影装置１からコンソール５８へと無線送信する処理と、圧縮されたベクターデータを伸長する処理とである。すなわち、ベクターデータへの変換処理（ステップＳ１０２）直後から表示処理（ステップＳ１０４）直前までの間に、主に、圧縮時間と無線送信時間と伸長時間との和の分だけの時間を要する。ここで、ベクターデータを圧縮する処理は、放射線画像撮影装置１側で行われ、圧縮されたベクターデータを伸長する処理は、ベクターデータの送信先、すなわちコンソール５８側で行われる。
【００７７】
そのため、圧縮しない場合における無線送信時間が、圧縮する場合における圧縮時間と無線送信時間と伸長時間との和よりも小さくなる場合は、ベクターデータを圧縮せずにそのままプレビュー画像用の画像データとしてコンソール５８に無線送信することが好ましい。
一方、圧縮しない場合における無線送信時間が、圧縮する場合における圧縮時間と無線送信時間と伸長時間との和よりも大きくなる場合は、ベクターデータを圧縮したものをプレビュー画像用の画像データとしてコンソール５８に無線送信することが好ましい。
【００７８】
また、本実施形態において、制御手段２２により作成されるプレビュー画像用の画像データ（ベクターデータ）の画像フォーマットは、汎用的な形式のＳＶＧである。
したがって、プレビュー画像用の画像データは、ＸＭＬ（Extensible Markup Language）で記述されているので、当該画像データに基づくプレビュー画像はＷｅｂブラウザ上で閲覧することができる。そのため、放射線画像撮影装置１で撮影された放射線画像を閲覧するための専用ツール（専用ビューワ）を備えていなくても、市販の固定端末や市販の携帯端末などに備えられている標準ツール（標準ビューワ）を用いて、プレビュー画像を表示することが可能となる。
また、プレビュー画像用の画像データはＸＭＬで記述されているので、端末性能に合ったビューワの使用が可能となる。
また、標準ツールの使用が可能となることで、独自開発の専用ツールに比べて描画性能を上げることのできる可能性が高くなる。
【００７９】
ここで、市販の固定端末は、持ち運び困難な端末装置のことであり、具体的には、デスクトップパソコン等である。
また、市販の携帯端末とは、持ち運び可能な端末装置のことであり、具体的には、ノートパソコン、携帯電話機、ＰＤＡ（Personal Digital assistant）、スマートフォン等である。
【００８０】
また、制御手段２２により作成されるプレビュー画像用の画像データ（ベクターデータ）の画像フォーマットは、汎用的な形式のＳＶＧであるため、プレビュー画像を表示する表示部を備える外部装置は、表示部を備えているのであれば、市販の固定端末や市販の携帯端末などであってもよい。
すなわち、本実施形態では、プレビュー画像を表示する表示部を備える外部装置として、コンソール５８を例示したが、外部装置はコンソール５８に限定されるものではなく、汎用フォーマットのベクターデータであるプレビュー画像用の画像データに基づいてプレビュー画像を表示部に表示できる端末装置であれば任意である。
【００８１】
また、本実施形態では、プレビュー画像を表示する表示部を備える外部装置と、中継器５４とをケーブルにより有線接続する場合を例示したが、外部装置と中継器５４とは有線接続されていなくてもよい。
外部装置と中継器５４とが有線接続されていない場合、撮影室Ｒ１内のアクセスポイント５３の電波が撮影室Ｒ１外にも届くのであれば、撮影室Ｒ１内のアクセスポイント５３を介して、撮影室Ｒ１内の放射線画像撮影装置１から撮影室Ｒ１外の外部装置へとプレビュー画像用の画像データ等を無線送信するように構成することが可能である。
【００８２】
また、外部装置と中継器５４とが有線接続されていない場合、中継器５４と有線接続（或いは、無線接続であってもよい）されたアクセスポイントを撮影室Ｒ１外（例えば前室Ｒ２内等）に別途設置する。そして、撮影室Ｒ１内のアクセスポイント５３および撮影室Ｒ１外のアクセスポイントを介して、撮影室Ｒ１内の放射線画像撮影装置１から撮影室Ｒ１外の外部装置へとプレビュー画像用の画像データ等を無線送信するように構成することが可能である。
【００８３】
このように、外部装置と中継器５４とを有線接続しない構成にすることで、外部装置と中継器５４とを接続するケーブルが不要となり、ケーブルが放射線技師等の撮影動作の邪魔になることがない。
また、外部装置が携帯端末である場合、外部装置と中継器５４とを有線接続しない構成にすることで、放射線技師等は外部装置を持ち運びながら撮影動作を行ったり、手元の外部装置でプレビュー画像を確認しながら撮影動作を行ったりすることができるようになる。
したがって、外部装置と中継器５４とを有線接続しない構成にすることで、放射線技師等は、撮影動作をよりスムーズに行うことが可能となる。
【００８４】
ところで、放射線画像撮影システム５０は、撮影室Ｒ１や前室Ｒ２などに構築するだけでなく、図１０に示すように、病室Ｒ３に搬入される回診車７１上に構築することもできる。なお、図１０において、Ｈは被写体である被験者を表し、Ｂは被験者が横臥するベッドＢを表す。
【００８５】
回診車７１には、例えば、図１０に示すように、アクセスポイント５３や中継器５４、コンソール５８などが搭載されている。
また、放射線画像撮影装置１を病室Ｒ３等で用いる場合、撮影室Ｒ１に据え付けられた放射線発生装置５５や放射線源５２を病室Ｒ３に持ち込むことができない。そのため、図１０に示すように、放射線発生装置５５や放射線源５２（ポータブルの放射線源５２Ｐ）が、例えば回診車７１に搭載される等して病室Ｒ３に持ち込まれる。
【００８６】
回診車７１上に構築された放射線画像撮影システム５０では、図１０に示すように、放射線画像撮影装置１は、ブッキー装置５１には装填されず、いわば単独の状態で用いられる。これにより、例えば、患者Ｈが病室Ｒ３のベッドＢから起き上がれず、撮影室Ｒ１に行くことができないような場合に、放射線画像撮影装置１を、ベッドＢと患者の身体との間に差し込んだり患者の身体にあてがったりして用いることができるようになっている。
【００８７】
回診車７１に搭載されたポータブルの放射線源５２Ｐは、任意の方向に放射線を照射できるように構成されている。そして、ポータブルの放射線源５２Ｐは、当該放射線源５２Ｐから放射線を照射する前等に、ベッドＢと患者の身体との間に差し込まれたり患者の身体にあてがわれたりした放射線画像撮影装置１に対して、適切な距離や方向から放射線を照射することができるように、放射線技師等によって調整される。
また、回診車７１上に構築された放射線画像撮影システム５０では、回診車７１に搭載された放射線発生装置５５が操作卓５７の役割も果たしている。そのため、図１０では図示を省略するが、回診車７１に搭載された放射線発生装置５５には曝射スイッチ５６が取り付けられている。
【００８８】
なお、放射線画像撮影システム５０を回診車７１上に構築する場合、放射線画像撮影装置１にケーブルＣａを接続した状態、すなわち放射線画像撮影装置１と中継器５４とをケーブルＣａにより有線接続した状態で撮影を行ってもよい。しかし、図１０に示すように、放射線画像撮影装置１にケーブルＣａを接続しない状態で撮影を行うと、ケーブルＣａが放射線技師等の撮影動作の邪魔になることがないので、放射線技師等は、撮影動作をよりスムーズに行うことが可能となる。
【００８９】
このように、放射線画像撮影システム５０を回診車７１上に構築する場合、ケーブルＣａが放射線技師等の撮影動作の邪魔になる可能性がある等の観点から、放射線画像撮影装置１にケーブルＣａを接続しない場合が多い。
放射線画像撮影装置１にケーブルＣａを接続しない場合、すなわち放射線画像撮影装置１とコンソール５８等の外部装置との間の通信を無線方式で行う場合には、放射線画像撮影装置１とコンソール５８等の外部装置との間の通信を有線方式で行う場合と比較して、通信に時間がかかってしまう。また、放射線画像撮影システム５０を回診車７１上に構築する場合は特に、外来電波の影響等によって、さらに無線通信に時間がかかってしまうことがある。
【００９０】
撮影室Ｒ１は、放射線が撮影室Ｒ１外に漏洩しないようにシールドされている場合が多く、その結果、外来電波からの影響を受け難い構造となっている場合が多い。一方、病室Ｒ３は、このようなシールドがされていない場合が多く、その結果、外来電波からの影響を受け易い構造となっている場合が多い。すなわち、病室Ｒ３は、撮影室Ｒ１に比べて、外来電波の影響を受け易い場合が多い。したがって、放射線画像撮影システム５０を回診車７１上に構築して、病室Ｒ３で放射線画像撮影を行う場合、撮影室Ｒ１で放射線画像撮影を行う場合以上に、無線通信に時間がかかってしまうことがある。
【００９１】
これに対し、本実施形態のように、放射線検出素子７から読み出した画像データをベクターデータに変換することによってプレビュー画像用の画像データを作成するように構成することで、外来電波の影響を受け易い環境下で、プレビュー画像用の画像データを無線送信する場合であっても、プレビュー画像用の画像データの送信を短時間で行うことが可能となる。したがって、プレビュー画像の表示に要する時間を十分に短縮することでき、プレビュー画像が迅速に表示されるので、患者の負担を軽減することが可能となる。
【００９２】
また、本実施形態では、制御手段２２により作成されるプレビュー画像用の画像データ（ベクターデータ）の画像フォーマットは、汎用的な形式のＳＶＧである。
したがって、前述したように、プレビュー画像を表示する表示部を備える外部装置は、コンソール５８に限定されず、市販の固定端末や市販の携帯端末などであってもよい。
そのため、回診車７１に外部装置としてコンソール５８を搭載する必要がなくなる。外部装置としてコンソール５８よりも小型の端末装置を採用すれば、コンソール５８がデスクトップパソコン等の持ち運び困難な比較的大型の端末装置である場合は特に、その小型の端末装置をコンソール５８の代わりに回診車７１に搭載することで、回診車７１の小型化が可能となり、回診車７１の機動性を向上させることが可能となる。
さらに、外部装置が携帯端末である場合には、操作動作をよりスムーズに行うことが可能となるだけでなく、回診車７１に外部装置を搭載する必要がなくなるので、回診車７１をより小型化することが可能となる。
【００９３】
ところで、ラスターデータをベクターデータに変換すると、それに基づき表示される画像の画質が低下してしまう場合が多い。そのため、本実施形態においては、診断画像用の画像データを作成する際、放射線検出素子７から読み出された画像データ（Rawデータ）をベクターデータに変換せずにラスターデータのまま圧縮している。
【００９４】
ここで、ベクターデータに変換しない場合と、ベクターデータに変換した場合とにおける画像の画質について説明するために、胸部を撮影して得た放射線画像を図１１および図１２に示す。
図１１（ａ）は、Rawデータ（ラスターデータ）に基づく画像を示す図であり、図１１（ｂ）は、図１１（ａ）の右下部分の拡大図である。また、図１２（ａ）は、当該Rawデータ（ラスターデータ）を変換して得たベクターデータに基づく画像を示す図であり、図１２（ｂ）は、図１２（ａ）の右下部分の拡大図である。
図１１および図１２に示すように、ベクターデータに変換した場合（図１２の場合）は、画像の拡大や縮小により画質が劣化することはない。しかし、ベクターデータは、画像を点の座標や線の属性、面の属性などで表現するため、複雑なグラデーションを表現できず、輪郭がはっきりしていない部分等を描くのに適していない。一方、ラスターデータは、画像を各点の座標や各点の属性などで表現するため、複雑なグラデーションを表現することができ、輪郭がはっきりしていない部分等を描くのに適している。したがって、ベクターデータに変換した場合（図１２の場合）は、ベクターデータに変換しないラスターデータのままの場合（図１１の場合）と比較して、複雑なグラデーションを表現できない等の観点から低画質であると言える。
【００９５】
診断画像が低画質であると、病変部を見落としたり、正常な部分を病変部と見誤ったりして誤診が生じる等の不都合が生じてしまう。したがって、診断画像としては、より高画質な画像が望まれる。
一方、プレビュー画像は、放射線画像撮影における被写体のポジショニング等を確認するために表示されるものであり、通常、プレビュー画像を用いて診断が行われることはない。したがって、プレビュー画像は、高画質な画像である必要はない。
そのため、本実施形態では、診断画像用の画像データについては、高画質な画像を得るためにラスターデータのまま圧縮して送信し、プレビュー画像用の画像データについては、迅速な送信を行うためにベクターデータに変換してから送信するように構成している。
【００９６】
以上説明した第１実施形態における放射線画像撮影装置１および放射線画像撮影システム５０によれば、放射線画像撮影装置１は、読み出し回路１７により読み出された画像データをベクターデータに変換することによって、プレビュー画像用の画像データを作成し、コンソール５８等の外部装置との間で無線通信を行って、作成したプレビュー画像用の画像データを当該外部装置に送信するように構成されている。
【００９７】
すなわち、プレビュー画像用の画像データを作成する際、読み出し回路１７により読み出された画像データ（ラスターデータ）をベクターデータに変換するので、データ量を削減することが可能となる。したがって、プレビュー画像用の画像データとしてラスターデータ（間引き処理や圧縮処理が施されたラスターデータも含む）を送信する場合と比較して、プレビュー画像用の画像データを放射線画像撮影装置１からコンソール５８等の外部装置へと無線送信する際に要する無線送信時間を短縮することが可能となる。
そのため、プレビュー画像の表示に要する時間を十分に短縮することでき、プレビュー画像が迅速に表示されるので、患者の負担を軽減することが可能となる。
【００９８】
また、以上説明した第１実施形態における放射線画像撮影装置１および放射線画像撮影システム５０によれば、放射線画像撮影装置１は、読み出し回路１７により読み出された画像データを、汎用フォーマット（本実施形態の場合はＳＶＧフォーマット）のベクターデータに変換することによって、プレビュー画像用の画像データを作成するように構成されている。
【００９９】
したがって、放射線画像撮影装置１で撮影された放射線画像を閲覧するための専用ツールを備えていなくても、市販の固定端末や市販の携帯端末などに備えられている標準ツールを用いて、プレビュー画像用の画像データに基づきプレビュー画像を表示することが可能となる。そのため、プレビュー画像を表示する表示部を備える外部装置として、コンソール５８だけでなく、市販の固定端末や市販の携帯端末なども使用することができる。これにより、外部装置として、放射線技師等の好みに応じた端末装置を選択することが可能となる。
【０１００】
＜第２実施形態＞
次に、第２実施形態に係る放射線画像撮影装置１および放射線画像撮影システム５０について説明する。
なお、第２実施形態においては、コンソール５８との間の通信を有線方式で行う点と、プレビュー画像を表示する表示部を備える端末装置としてサブモニタ６０を備えている点とが、第１実施形態と異なる。したがって、第１実施形態と同様の構成を有する部分については同じ符号を付して説明を省略し、主に異なる部分について説明する。
【０１０１】
［放射線画像撮影装置］
まず、第２実施形態に係る放射線画像撮影装置１について説明する。
【０１０２】
本実施形態の放射線画像撮影装置１の制御手段２２は、プレビュー画像用の画像データとして、放射線検出素子７から読み出された画像データ（Rawデータ）を圧縮することにより圧縮画像データを作成する。そして、その作成した圧縮画像データを、中継器５４を介して、コンソール５８に有線送信するように構成されている。
【０１０３】
また、本実施形態の放射線画像撮影装置１の制御手段２２は、放射線検出素子７から読み出された画像データ（Rawデータ）に対して圧縮処理を行うことによって、診断画像用の画像データを作成する。そして、その作成した診断画像用の画像データを、中継器５４を介して、コンソール５８に有線送信するように構成されている。
【０１０４】
［放射線画像撮影システム］
次に、第２実施形態に係る放射線画像撮影システム５０について説明する。
図１３は、本実施形態に係る放射線画像撮影システム５０の構成を示す図である。
【０１０５】
本実施形態の放射線画像撮影システム５０は、表示部６０ａを有するサブモニタ６０を備えている。
本実施形態において、サブモニタ６０は、携帯可能に構成された端末装置、すなわち携帯端末であり、コンソール５８の表示部５８ａを補助する役割等を有している。
また、本実施形態において、サブモニタ６０は、アクセスポイント等を介さずに直接コンソール５８と無線通信できるように構成されていることとする。
【０１０６】
本実施形態のコンソール５８は、無線アンテナ５８ｃを備えており、この無線アンテナ５８ｃによって、アクセスポイント等を介さずに直接サブモニタ６０と無線通信できるように構成されている。すなわち、無線アンテナ５８ｃは、無線通信手段として機能する。
【０１０７】
なお、本実施形態では、コンソール５８とサブモニタ６０との間の無線通信を、アクセスポイント等を介さずに直接行うことができるように構成したが、これに限定されるものではない。
具体的には、撮影室Ｒ１外（例えば前室Ｒ２内等）に別途アクセスポイントを設置して、撮影室Ｒ１外のアクセスポイントを介して、コンソール５８とサブモニタ６０との間で無線通信を行うことができるように構成することも可能である。この場合、コンソール５８の無線アンテナ５８ｃが、撮影室Ｒ１外のアクセスポイントと無線接続される。
また、撮影室Ｒ１内のアクセスポイント５３の電波が撮影室Ｒ１外にも届くのであれば、撮影室Ｒ１内のアクセスポイント５３を介して、コンソール５８とサブモニタ６０との間で無線通信を行うことができるように構成することも可能である。この場合、コンソール５８の無線アンテナ５８ｃが、撮影室Ｒ１内のアクセスポイント５３と無線接続される。
また、サブモニタ６０を撮影室Ｒ１内のみで使用する場合には、撮影室Ｒ１外に別途アクセスポイントを設置したり、撮影室Ｒ１内のアクセスポイント５３の電波が撮影室Ｒ１外にも届くか否かを考慮したりすることなく、コンソール５８とサブモニタ６０とを、撮影室Ｒ１内のアクセスポイント５３を介して無線通信するように構成することも可能である。
【０１０８】
本実施形態のコンソール５８の制御部５８ｂは、放射線画像撮影装置１から有線送信された圧縮画像データに基づいて、ベクターデータであるプレビュー画像用の画像データを作成するように構成されている。具体的には、制御部５８ｂは、放射線画像撮影装置１から有線送信された圧縮画像データを伸長して、元の画像データ（ラスターデータ）に復元する。そして、その画像データ（ラスターデータ）を、ＳＶＧフォーマットのベクターデータに変換することによって、プレビュー画像用の画像データを作成する。すなわち、制御部５８ｂは、作成手段として機能する。
【０１０９】
また、本実施形態のコンソール５８の制御部５８ｂは、放射線画像撮影装置１から有線送信された診断画像用の画像データに基づいて、放射線画像として医療用の診断画像を生成するように構成されている。
【０１１０】
次に、本実施形態に係る放射線画像撮影装置１および放射線画像撮影システム５０の作用について、図１４のフローチャートを参照して説明する。
なお、本実施形態において、放射線画像撮影装置１は、前述したように、中継器５４と接続するコンソール５８との間の通信を、中継器５４を介して有線方式で行うこととする。
【０１１１】
図１４に示すように、例えば放射線源５２から放射線画像撮影装置１に対して放射線が照射されると、放射線画像撮影装置１の制御手段２２は、まず、当該放射線画像撮影装置１の各機能部を制御して、読み出し回路１７により放射線検出素子７から画像データを読み出す（ステップＳ２０１）。
次いで、読み出した画像データ（Rawデータ）に対して圧縮処理を行うことによって、圧縮画像データを作成する（ステップＳ２０２）。なお、読み出した画像データ（Rawデータ）に対して間引き処理を行ってから圧縮処理を行うように構成することも可能である。
次いで、ケーブルＣａおよび中継器５４を介してコンソール５８との間で有線通信を行って、作成した圧縮画像データを当該コンソール５８に送信する（ステップＳ２０３）。
【０１１２】
なお、本実施形態では、放射線検出素子７から読み出した画像データを圧縮してからコンソール５８に送信するように構成したが、これに限定されるものではない。すなわち、放射線検出素子７から読み出した画像データを圧縮せずにそのままコンソール５８に送信するように構成することも可能である。この場合、後述する伸長処理（ステップＳ２０４）は省略される。
【０１１３】
そして、コンソール５８の制御部５８ｂは、放射線画像撮影装置１から有線送信された圧縮画像データを受信すると、当該圧縮画像データに対して伸長処理を行う（ステップＳ２０４）。
次いで、その伸長処理後の画像データ（ラスターデータ）をＳＶＧフォーマットのベクターデータに変換することによって、放射線画像撮影装置１から送信された画像データに基づきプレビュー画像用の画像データを作成する（ステップＳ２０５）。
次いで、サブモニタ６０との間で無線通信を行って、作成したプレビュー画像用の画像データを当該サブモニタ６０に送信する（ステップＳ２０６）。
【０１１４】
そして、サブモニタ６０の制御部（図示省略）は、コンソール５８から無線送信されたプレビュー画像用の画像データを受信すると、当該プレビュー画像用の画像データに対して所定の表示処理を行って（ステップＳ２０７）、当該画像データに基づく画像、すなわちプレビュー画像を表示部６０ａに表示する（ステップＳ２０８）。このようにして、プレビュー画像がサブモニタ６０の表示部６０ａに表示される。
【０１１５】
なお、本実施形態においては、サブモニタ６０側だけでなく、コンソール５８側でもプレビュー画像を表示するように構成することも可能である。すなわち、コンソール５８の制御部５８ｂは、伸長処理後の画像データ（ラスターデータ）に基づいてプレビュー画像用の画像データを作成してサブモニタ６０に送信するだけでなく、当該伸長処理後の画像データ（ラスターデータ）に対して所定の画像処理を行い、その後所定の表示処理を行うことによって、表示部５８ａにプレビュー画像を表示するように構成することも可能である。
【０１１６】
ここで、画像データの有線送信に要する有線送信時間は、画像データの無線送信に要する無線送信時間と比較して十分に短い。したがって、画像データを有線送信する場合は、ラスターデータのまま送信しても、送信時間が長くなって患者の負担が増大してしまう等の問題は生じない。そのため、本実施形態のように、放射線画像撮影装置１とコンソール５８との間の通信を有線方式で行う場合は、放射線検出素子７から読み出された画像データを、ベクターデータに変換せずにラスターデータのままコンソール５８に送信するように構成することで、放射線画像撮影装置１側でベクターデータに変換する処理を行う必要がなくなり、効率がよい。
【０１１７】
また、コンソール５８と無線通信は可能であるが有線通信は不可能なサブモニタ６０の表示部６０ａにプレビュー画像を表示させたい場合であっても、本実施形態のように、コンソール５８からサブモニタ６０へとプレビュー画像用の画像データとしてベクターデータを送信するように構成することで、プレビュー画像用の画像データとしてラスターデータを送信する場合と比較して、プレビュー画像用の画像データの無線送信に要する無線送信時間を短縮することが可能となる。したがって、プレビュー画像の表示に要する時間を十分に短縮することでき、プレビュー画像が迅速に表示されるので、患者の負担を軽減することが可能となる。
【０１１８】
また、本実施形態では、制御部５８ｂにより作成されるプレビュー画像用の画像データ（ベクターデータ）の画像フォーマットは、汎用的な形式のＳＶＧである。
したがって、プレビュー画像用の画像データは、ＸＭＬで記述されているので、当該画像データに基づくプレビュー画像はＷｅｂブラウザ上で閲覧することができる。そのため、サブモニタ６０に、放射線画像撮影装置１で撮影された放射線画像を閲覧するための専用ツールを備えなくても、サブモニタ６０に予め備えられている標準ツールを用いて、プレビュー画像を表示することが可能となる。
【０１１９】
なお、本実施形態では、プレビュー画像を表示する表示部を備える端末装置として、サブモニタ６０を例示したが、端末装置はサブモニタ６０に限定されるものではなく、汎用フォーマットのベクターデータであるプレビュー画像用の画像データに基づいてプレビュー画像を表示部に表示できる端末装置であれば任意である。すなわち、端末装置は、表示部を備えているのであれば、例えば、市販の固定端末であってもよいし、サブモニタ６０以外の市販の携帯端末であってもよい。
【０１２０】
ところで、本実施形態においては、第１実施形態の場合と同様、放射線画像撮影システム５０を、病院等の撮影室Ｒ１や前室Ｒ２などに構築するだけでなく、図１５に示すように、病室Ｒ３に搬入される回診車７１上に構築することもできる。
なお、放射線画像撮影システム５０を病室Ｒ３に搬入される回診車７１上に構築する場合、コンソール５８とサブモニタ６０とを、アクセスポイント５３を介さずに直接無線通信するように構成することも可能であるし、アクセスポイント５３を介して無線通信するように構成することも可能である。
【０１２１】
本実施形態においては、放射線画像撮影システム５０を病室Ｒ３に搬入される回診車７１上に構築する場合も、図１５に示すように、放射線画像撮影装置１にケーブルＣａを接続した状態、すなわち放射線画像撮影装置１と中継器５４とをケーブルＣａにより有線接続した状態で撮影が行われる。したがって、ケーブルＣａが放射線技師等の撮影動作の邪魔になる虞がある。
しかし、本実施形態の場合、サブモニタ６０にプレビュー画像を表示できるので、放射線技師等は回診車７１に近づかなくても手元のサブモニタ６０でプレビュー画像を見ることができる。したがって、回診車７１に搭載されたコンソール５８等の端末装置のみでプレビュー画像が閲覧できる場合と比較して、回診車７１に近づく頻度を低くすることができる。回診車７１に近づく頻度が高くなるほどケーブルＣａが邪魔になる可能性が高くなるが、携帯可能なサブモニタ６０にプレビュー画像を表示できるように構成して、回診車７１に近づく頻度を低くすることで、ケーブルＣａが邪魔になる可能性を低くすることが可能となる。
【０１２２】
なお、この他の点は第１実施形態で示したものと同様であるので、その説明は省略する。
【０１２３】
以上説明した第２実施形態における放射線画像撮影装置１および放射線画像撮影システム５０によれば、放射線画像撮影装置１は、コンソール５８との間で有線通信を行って、読み出し回路１７により読み出された画像データを当該コンソール５８に送信するように構成されている。そして、コンソール５８は、放射線画像撮影装置１から送信された画像データをベクターデータに変換することによって、プレビュー画像用の画像データを作成し、サブモニタ６０等の端末装置との間で無線通信を行って、作成したプレビュー画像用の画像データを当該端末装置に送信するように構成されている。
【０１２４】
すなわち、プレビュー画像用の画像データを作成する際、放射線画像撮影装置１から送信された画像データ（ラスターデータ）をベクターデータに変換するので、データ量を削減することが可能となる。したがって、プレビュー画像用の画像データとしてラスターデータ（間引き処理や圧縮処理が施されたラスターデータも含む）を送信する場合と比較して、プレビュー画像用の画像データをコンソール５８からサブモニタ６０等の端末装置へと無線送信する際に要する無線送信時間を短縮することが可能となる。
そのため、プレビュー画像の表示に要する時間を十分に短縮することでき、プレビュー画像が迅速に表示されるので、患者の負担を軽減することが可能となる。
【０１２５】
また、以上説明した第２実施形態における放射線画像撮影装置１および放射線画像撮影システム５０によれば、端末装置としてのサブモニタ６０は、携帯可能に構成されている。
【０１２６】
すなわち、放射線技師等はサブモニタ６０を持ち運びながら撮影動作を行ったり、手元のサブモニタ６０でプレビュー画像を確認しながら撮影動作を行ったりすることができる。したがって、放射線技師等は撮影動作をよりスムーズに行うことが可能となる。
【０１２７】
また、以上説明した第２実施形態における放射線画像撮影装置１および放射線画像撮影システム５０によれば、コンソール５８は、放射線画像撮影装置１から送信された画像データを、汎用フォーマット（本実施形態の場合はＳＶＧフォーマット）のベクターデータに変換することによって、プレビュー画像用の画像データを作成するように構成されている。
【０１２８】
したがって、サブモニタ６０等の端末装置に放射線画像撮影装置１で撮影された放射線画像を閲覧するための専用ツールを備えていなくても、サブモニタ６０等の端末装置に予め備えられている標準ツールを用いて、プレビュー画像用の画像データに基づきプレビュー画像を表示することが可能となる。
また、プレビュー画像を表示する表示部を備える端末装置として、サブモニタ６０だけでなく、市販の固定端末やサブモニタ６０以外の市販の携帯端末なども使用することができる。これにより、端末装置として、放射線技師等の好みに応じた端末装置を選択することが可能となる。
【０１２９】
なお、本発明は上記の実施形態に限定されず、本発明の趣旨から逸脱しない限り、適宜変更可能であることはいうまでもない。
【０１３０】
上記実施形態において、コンソール５８を、デスクトップパソコン等の持ち運び困難な端末装置で構成することも可能であるし、ノートパソコンやＰＤＡなどの持ち運び可能な端末装置で構成することも可能である。
【符号の説明】
【０１３１】
１  放射線画像撮影装置
５  走査線
６  信号線
７  放射線検出素子
１７  読み出し回路
２２  制御手段（作成手段）
３９  コネクタ（有線通信手段）
４１  アンテナ装置（無線通信手段）
５０  放射線画像撮影システム
５８  コンソール（外部装置）
５８ａ  表示部
５８ｂ  制御部（作成手段）
５８ｃ  無線アンテナ（無線通信手段）
６０  サブモニタ（端末装置）
６０ａ  表示部
Ｐ  検出部
ｒ  領域
【図１】
2012170753.tif 000003
【図２】
2012170753.tif 000004
【図３】
2012170753.tif 000005
【図４】
2012170753.tif 000006
【図５】
2012170753.tif 000007
【図６】
2012170753.tif 000008
【図７】
2012170753.tif 000009
【図８】
2012170753.tif 000010
【図９】
2012170753.tif 000011
【図１０】
2012170753.tif 000012
【図１３】
2012170753.tif 000013
【図１４】
2012170753.tif 000014
【図１５】
2012170753.tif 000015
【図１１】
2012170753.tif 000016
【図１２】
2012170753.tif 000017